【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
記憶部に記憶されている複数の波形データを使用した波形再生を、コンピュータに実行させるためのプログラムであって、
前記プログラムは、
時間経過に伴い、前記記憶部に記憶された前記複数の波形データのいずれか１つを再生するステップと、
前記再生するステップによって或る１つの波形データが再生されているときに、別の波形データを指定するステップと、
再生中の前記或る１つの波形データと前記指定された別の波形データとのそれぞれについて、その波形データ上の１以上の切替位置を特定する切替位置情報を取得するステップと、
少なくとも前記指定を受け付けたタイミングに基づいて、前記取得した再生中の波形データの切替位置情報及び前記取得した別の波形データの切替位置情報を参照して、前記別の波形データ上の１つの切替位置、又は、前記再生中の波形データ上の１つの切替位置のどちらを該再生中の波形データの再生を終了する終了タイミングとするかを決定し、決定した切替位置を終了タイミングとして設定するステップと、
前記別の波形データの指定に応じて、前記再生するステップにより再生される波形データを前記再生中の波形データから前記別の波形データへ切り替える制御を行うステップであって、前記再生するステップによる波形データの再生タイミングが、前記設定された終了タイミングに到達することに応じて、少なくとも前記再生中の波形データの再生を終了させる制御を行うステップと
を、前記コンピュータに実行させることを特徴とするプログラム。
【請求項２】
前記設定するステップにおいて、更に、前記設定された終了タイミングを、前記指定された別の波形データの再生を開始する開始タイミングとして設定し、
前記制御を行うステップにおいて、更に、前記再生するステップによる波形データの再生タイミングが、前記設定された開始タイミングに到達することに応じて、前記別の波形データの再生を開始させることを特徴とする請求項１に記載のプログラム。
【請求項３】
前記設定するステップにおいて、
前記指定を受け付けたタイミングの直後に存在する前記別の波形データ上の潜在的切替位置より前の所定時間以内に、前記再生中の波形データ上の切替位置が存在するかどうかを判断し、
前記再生中の波形データ上の切替位置が存在する場合は、その切替位置を、前記終了タイミングとして設定する一方、前記再生中の波形データの切替位置が存在しない場合は、前記指定を受け付けたタイミングの直後に存在する前記別の波形データ上の切替位置を、前記終了タイミングとして設定することを特徴とする請求項１又は２に記載のプログラム。
【請求項４】
前記設定するステップにおいて、更に、前記指定を受け付けたタイミングの直後に存在する音楽的区切り位置を、前記指定された別の波形データの再生を開始する開始タイミングとして設定し、
前記制御を行うステップにおいて、更に、前記再生するステップによる波形データの再生タイミングが、前記設定された開始タイミングに到達することに応じて、前記別の波形データの再生を開始させることを特徴とする請求項１に記載のプログラム。
【請求項５】
前記設定するステップにおいて、
前記指定を受け付けたタイミングの直後に存在する音楽的区切り位置より前の所定時間以内に、前記再生中の波形データ上の切替位置が存在するかどうかを判断し、
前記再生中の波形データ上の切替位置が存在する場合は、その切替位置を、前記終了タイミングとして設定する一方、前記再生中の波形データの切替位置が存在しない場合は、前記指定を受け付けたタイミングの直後に存在する音楽的区切り位置を、前記終了タイミングとして設定することを特徴とする請求項１又は４に記載のプログラム。
【請求項６】
複数の波形データを記憶するよう構成された記憶部と、
時間経過に伴い、前記記憶部に記憶された前記複数の波形データのいずれか１つを再生するよう構成された再生部と、
前記再生部によって或る１つの波形データが再生されているときに、別の波形データを指定する指定部と、
再生中の前記或る１つの波形データと前記指定された別の波形データとのそれぞれについて、その波形データ上の１以上の切替位置を特定する切替位置情報を取得する取得部と、
少なくとも前記指定を受け付けたタイミングに基づいて、前記取得した再生中の波形データの切替位置情報及び前記取得した別の波形データの切替位置情報を参照して、前記別の波形データ上の１つの切替位置、又は、前記再生中の波形データ上の１つの切替位置のどちらを該再生中の波形データの再生を終了する終了タイミングとするかを決定し、決定した切替位置を終了タイミングとして設定する設定部と、
前記別の波形データの指定に応じて、前記再生部が再生する波形データを前記再生中の波形データから前記別の波形データへ切り替える制御を行うステップであって、前記再生するステップによる波形データの再生タイミングが、前記設定された終了タイミングに到達することに応じて、少なくとも前記再生中の波形データの再生を終了させる制御を行う制御部と
を備えることを特徴とする波形再生装置。
【請求項７】
記憶部に記憶されている複数の波形データを使用した波形再生を行う方法であって、
前記方法は、
時間経過に伴い、前記記憶部に記憶された前記複数の波形データのいずれか１つを再生するステップと、
前記再生するステップによって或る１つの波形データが再生されているときに、別の波形データを指定するステップと、
再生中の前記或る１つの波形データと前記指定された別の波形データとのそれぞれについて、その波形データ上の１以上の切替位置を特定する切替位置情報(25)を取得するステップと、
少なくとも前記指定を受け付けたタイミングに基づいて、前記取得した再生中の波形データの切替位置情及び前記取得した別の波形データの切替位置情報を参照して、前記別の波形データ上の１つの切替位置、又は、前記再生中の波形データ上の１つの切替位置のどちらを該再生中の波形データの再生を終了する終了タイミングとするかを決定し、決定した切替位置を終了タイミングとして設定するステップと、
前記別の波形データの指定に応じて、前記再生するステップにより再生される波形データを前記再生中の波形データから前記別の波形データへ切り替える制御を行うステップであって、前記再生するステップによる波形データの再生タイミングが、前記設定された終了タイミングに到達することに応じて、少なくとも前記再生中の波形データの再生を終了させる制御を行うステップと
を含むことを特徴とする方法。
【手続補正２】
【補正対象書類名】明細書
【補正対象項目名】０００９
【補正方法】変更
【補正の内容】
【０００９】
本発明は、記憶部に記憶されている複数の波形データを使用した波形再生を、コンピュータに実行させるためのプログラムであって、前記プログラムは、時間経過に伴い、前記記憶部に記憶された前記複数の波形データのいずれか１つを再生するステップと、前記再生するステップによって或る１つの波形データが再生されているときに、別の波形データを指定するステップと、再生中の前記或る１つの波形データと前記指定された別の波形データとのそれぞれについて、その波形データ上の１以上の切替位置を特定する切替位置情報を取得するステップと、少なくとも前記指定を受け付けたタイミングに基づいて、前記取得した再生中の波形データの切替位置情報及び前記取得した別の波形データの切替位置情報を参照して、前記別の波形データ上の１つの切替位置、又は、前記再生中の波形データ上の１つの切替位置のどちらを該再生中の波形データの再生を終了する終了タイミングとするかを決定し、決定した切替位置を終了タイミングとして設定するステップと、前記別の波形データの指定に応じて、前記再生するステップにより再生される波形データを前記再生中の波形データから前記別の波形データへ切り替える制御を行うステップであって、前記再生するステップによる波形データの再生タイミングが、前記設定された終了タイミングに到達することに応じて、少なくとも前記再生中の波形データの再生を終了させる制御を行うステップとを、前記コンピュータに実行させることを特徴とするプログラムである。
【手続補正３】
【補正対象書類名】明細書
【補正対象項目名】００１０
【補正方法】変更
【補正の内容】
【００１０】
本発明によれば、或る波形データの再生中に、別の波形データが指定された場合に、再生中の波形データと指定された別の波形データとのそれぞれについて、その波形データ上の１以上の切替位置を特定する切替位置情報を取得する。切替位置は、例えば、波形データとして録音した各音のアタック部である。そして、少なくとも指定を受け付けたタイミングに基づいて、取得した再生中の波形データの切替位置情報及び取得した別の波形データの切替位置情報を参照して、別の波形データ上の１つの切替位置、又は、再生中の波形データ上の１つの切替位置どちらを該再生中の波形データの再生を終了する終了タイミングとするかを決定し、決定した切替位置を終了タイミングとして設定するように構成されている。この構成により、再生中の波形データ上の切替位置が終了タイミングとして設定された場合は、切替元の再生中の波形データの終了直前での不所望な発音を確実に回避できる。したがって、波形データを切り替える際に、略同じタイミング（短時間内）に切替元と切替先との両方で音が鳴ること、いわゆる「二度鳴り」、によるノイズ発生を防止できる。一方、切替先となる別の波形データ上の切替位置が終了タイミングとして設定された場合は、切替先となる別の波形データ上の切替位置で、再生中の波形データの終了する。これにより、この終了タイミング、すなわち別の波形データ上の切替位置から、切替先の別の波形データの再生を開始し得る。それにより、切替先の別の波形データの再生開始時にノイズ（例えば波形途中から再生開始することによるノイズ）が生じない。
【手続補正４】
【補正対象書類名】明細書
【補正対象項目名】００１５
【補正方法】変更
【補正の内容】
【００１５】
また、本発明は、複数の波形データを記憶するよう構成された記憶部と、時間経過に伴い、前記記憶部に記憶された前記複数の波形データのいずれか１つを再生するよう構成された再生部と、前記再生部によって或る１つの波形データが再生されているときに、別の波形データを指定する指定部と、再生中の前記或る１つの波形データと前記指定された別の波形データとのそれぞれについて、その波形データ上の１以上の切替位置を特定する切替位置情報を取得する取得部と、少なくとも前記指定を受け付けたタイミングに基づいて、前記取得した再生中の波形データの切替位置情報及び前記取得した別の波形データの切替位置情報を参照して、前記別の波形データ上の１つの切替位置、又は、前記再生中の波形データ上の１つの切替位置のどちらを該再生中の波形データの再生を終了する終了タイミングとするかを決定し、決定した切替位置を終了タイミングとして設定する設定部と、前記別の波形データの指定に応じて、前記再生部が再生する波形データを前記再生中の波形データから前記別の波形データへ切り替える制御を行うステップであって、前記再生するステップによる波形データの再生タイミングが、前記設定された終了タイミングに到達することに応じて、少なくとも前記再生中の波形データの再生を終了させる制御を行う制御部とを備えることを特徴とする波形再生装置である。
【手続補正５】
【補正対象書類名】明細書
【補正対象項目名】００１６
【補正方法】変更
【補正の内容】
【００１６】
また、本発明は、記憶部に記憶されている複数の波形データを使用した波形再生を行う方法であって、時間経過に伴い、前記記憶部に記憶された前記複数の波形データのいずれか１つを再生するステップと、前記再生するステップによって或る１つの波形データが再生されているときに、別の波形データを指定するステップと、再生中の前記或る１つの波形データと前記指定された別の波形データとのそれぞれについて、その波形データ上の１以上の切替位置を特定する切替位置情報(25)を取得するステップと、少なくとも前記指定を受け付けたタイミングに基づいて、前記取得した再生中の波形データの切替位置情報及び前記取得した別の波形データの切替位置情報を参照して、前記別の波形データ上の１つの切替位置、又は、前記再生中の波形データ上の１つの切替位置のどちらを該再生中の波形データの再生を終了する終了タイミングとするかを決定し、決定した切替位置を終了タイミングとして設定するステップと、前記別の波形データの指定に応じて、前記再生するステップにより再生される波形データを前記再生中の波形データから前記別の波形データへ切り替える制御を行うステップであって、前記再生するステップによる波形データの再生タイミングが、前記設定された終了タイミングに到達することに応じて、少なくとも前記再生中の波形データの再生を終了させる制御を行うステップとを含むことを特徴とする方法である。